(57)【特許請求の範囲】
【請求項１】
溶鋼鍋に溶鋼の保温のため着脱可能に取着される鍋蓋の着脱方法であって、鍋蓋には、該鍋蓋に上下方向に旋回可能に軸支されるレバーと、該レバー端に該レバーと直交し、かつ溶鋼鍋のトラニオンと平行をなして取付けられる鍋蓋トラニオンを設け、該鍋蓋トラニオンは、レバーを倒したとき、主巻フックの背面側である、フックの先が向く側と反対側に倒れて、溶鋼鍋のトラニオンに係脱するために昇降移動する主巻フックの移動経路外に退避するようになっており、主巻フックには背面側に突出する補助フックを設け、溶鋼鍋を搬送するときには、クレーン操作で主巻フックを溶鋼鍋のトラニオンに掛ける一方、鍋蓋を着脱するときには、クレーン操作で主巻フックを上げ下げして補助フックを鍋蓋トラニオンに係脱させることを特徴とする鍋蓋の着脱方法。
【発明の詳細な説明】
【０００１】
【発明が属する技術分野】
本発明は、溶鋼鍋に装着される保温用の鍋蓋を溶鋼鍋を搬送するクレーンを用いて着脱する着脱方法に関する。
【０００２】
【従来技術】
製鋼工場において、溶鋼を運搬するのに用いられる溶鋼鍋は、転炉等から溶鋼を受鋼したのちは一般に、保温のため鍋蓋が取付けられ、受鋼時には取り外される。
【０００３】
鍋蓋を着脱する方法としては、特開昭６３−７２４７２号、特開平１−２４１３７４号等に示されるように、専用の鍋蓋着脱装置を用いて鍋蓋を着脱する方法、溶鋼鍋運搬用のクレーンを用いて着脱する方法等があり、このうち、後者の方法では通常、溶鋼鍋の底部に取着されるレードルフックに引掛けて溶鋼鍋の傾動を行う場合等に使用する補巻フックが用いられ、補巻フックを鍋蓋に引掛けて鍋蓋を上げ下げし着脱していた。
【０００４】
【発明が解決しようとする課題】
溶鋼鍋は、クレーンより下がる主巻フックを溶鋼鍋のトラニオンに掛けて吊り上げられて搬送され、受鋼時や真空脱ガス処理時にはその邪魔にならないように主巻フックは鍋のトラニオンから外されて退避される。そして、その前後に行われる鍋蓋の着脱も主巻フックをそのまま用いれば、補巻フックを用いるよりも作業時間が短くてすむが、これには次のような問題がある。
【０００５】
すなわち主巻フックが鍋蓋に取着のトラニオンに掛かるようにするには、鍋蓋トラニオンを主巻フックが溶鋼鍋のトラニオンを吊りに行く際の移動経路外に位置しなければならない。一方で、鍋蓋が傾かないように吊上げるには、トラニオンを鍋蓋の重心ないし、その付近に設ける必要があるが、これが主巻フックを鍋のトラニオンに係脱させるため昇降移動する際の軌道上になることである。
【０００６】
本発明は、主巻フックが溶鋼鍋のトラニオンに係脱するため、昇降移動するときには鍋蓋トラニオンを主巻フックの昇降移動経路から退避させ、邪魔にならないようにし、溶鋼鍋に着脱可能に取着される鍋蓋の着脱方法において、鍋蓋の取外し、及び鍋蓋取付けから溶鋼鍋搬出までの主巻フックの昇降操作が容易で、かつ短時間で行えるようにするものである。
【０００８】
【課題の解決手段】
請求項１に係わる発明は、溶鋼鍋に溶鋼の保温のため着脱可能に取着される鍋蓋の着脱方法であって、鍋蓋には、該鍋蓋に上下方向に旋回可能に軸支されるレバーと、該レバー端に該レバーと直交し、かつ溶鋼鍋のトラニオンと平行をなして取付けられる鍋蓋トラニオンを設け、該鍋蓋トラニオンは、レバーを倒したとき、主巻フックの背面側である、フックの先が向く側と反対側に倒れて、溶鋼鍋のトラニオンに係脱するために昇降移動する主巻フックの移動経路外に退避するようになっており、主巻フックには背面側に突出する補助フックを設け、溶鋼鍋を搬送するときには、クレーン操作で主巻フックを溶鋼鍋のトラニオンに掛ける一方、鍋蓋を着脱するときには、クレーン操作で主巻フックを上げ下げして補助フックを鍋蓋トラニオンに係脱させることを特徴とする。
【０００９】
本発明を説明するのに先立って先ず、図１に示す鍋蓋構造の鍋蓋に対する着脱作業を補助フックを有しない主巻フックで行った場合について説明する。
【００１０】
図１及び図２は、溶鋼鍋１に取付けた鍋蓋２を示すもので、この鍋蓋２は既知のものと同様、キャスタブルが内張りされている。そして上面にはレバー３が上下方向に旋回可能に軸支され、レバー端に鍋蓋トラニオン４がレバー３と直交し、かつ溶鋼鍋１のトラニオン５と平行に取付けられている。
【００１１】
レバー３は、鍋蓋２を吊り上げる一点鎖線で示す状態では、主巻フック６の背面側である図の右方に若干傾斜しているため、主巻フック６を図の右斜め下方向に移動させると、主巻フック６の背面側に倒れ、鍋蓋２に固着のストッパー７に当たって停止した実線で示す位置で、レバー端の鍋蓋トラニオン４は鍋蓋外に位置し、主巻フック６が溶鋼鍋１のトラニオン５と係脱する際に昇降する移動経路外に位置して、主巻フック６が昇降移動する際の支障とならないようになっている。
【００１２】
溶鋼鍋１は、鋳造設備等において溶鋼をタンディッシュ等に注入後は、排滓場に運ばれ、残留スラグを排出する。スラグ排出に際しては、主巻フック６を溶鋼鍋１のトラニオン５に掛けて溶鋼鍋１を持ち上げ、補巻フックを溶鋼鍋底部のレードルフック１３に掛けて溶鋼鍋１を傾動させ、主巻フック６の背面側よりスラグの排出を行うが、鍋蓋トラニオン４がフック先側に倒れると、溶鋼鍋１を傾けたとき鍋蓋トラニオ４ンが主巻フック６に係合しがちで、係合すると、溶鋼鍋１の傾きが阻止され、スラグの排出に支障を来たすようになる。これに対し、鍋蓋トラニオン４を主巻フック６の背面側に倒れるようにすると、溶鋼鍋１を傾動させる際の支障となることがない。
【００１３】
鍋蓋２の着脱は、主巻フック６を溶鋼鍋１のトラニオン５に掛けて、溶鋼鍋１を転炉等の受鋼位置まで運んでから次のようにして行われる。すなわちクレーン操作で主巻フック６を一旦降下させて溶鋼鍋１のトラニオン５から外したのち（このとき、レバー３は図の実線位置で示す倒れた状態にある）、主巻フック６の背面を鍋蓋トラニオン４に向け、図２の右方に移動させて上昇させる。上昇は主巻フック６が鍋蓋トラニオン４を越えるまで行われ、上昇後、主巻フック６を図２の右方にフック先が鍋蓋トラニオン４を越えるまで移動させ、ついでフック先が鍋蓋トラニオン下方に達するまで降下させる。そして主巻フック６を左方に動かしながら上昇させて鍋蓋トラニオン４を捕捉し、そのまま持ち上げる。鍋蓋トラニオン４を捕捉してから主巻フック６が上昇する際、先ずレバー３が上向きに旋回する。鍋蓋トラニオンが溶鋼鍋の重心位置での重力の作用線上、すなわち溶鋼鍋のトラニオンを通る鉛直線上に達し、一点鎖線位置に起されたのちは、鍋蓋が持ち上げられ、溶鋼鍋から外される。
【００１４】
鍋蓋２が外されて受鋼が行われ、受鋼後、鍋蓋２が主巻フック６により溶鋼鍋１上に降下され装着される。鍋蓋を溶鋼鍋上に下ろしたのち、主巻フックを更に下げると、レバーが下向きに旋回して実線位置に倒れ、鍋蓋トラニオンを主巻フックの上述する移動経路外に退避させる。
【００１５】
鍋蓋２を装着後、溶鋼鍋１を搬出するときには、クレーン操作により主巻フック６を上記と逆の手順を辿って移動させ、溶鋼鍋１のトラニオン５に係合させる。図２において、８は主巻フック６が移動する際のフック先端部の軌跡を示す。
【００１６】
フック先端部が以上のように鍋蓋トラニオン４を迂回する経路を辿るのは、トラニオン４、５間を最短距離で移動しようとすると、主巻フック６が鍋蓋トラニオン４に当たり、移動できなくなるためである。
【００１７】
これに対し、本発明の主巻フックの背面側に補助フックを取付けておくと、トラニオン間を通って降下する主巻フックの両側にトラニオン４、５が位置し、トラニオン４、５を両側に設けたフックと補助フックで個別に捕捉係合できるため、主巻フックを単にトラニオン間で操作すればよく、主巻フックの移動経路が単純となって移動時間も短縮される。
【００１８】
【発明の実施の形態】
図３は、図１及び図２に示す主巻フック６に鍋蓋トラニオン４捕捉用の補助フック９を背面側に突出して取り付けた例を示すものであり、図４に示す符号１１は、図３に示す主巻フック６を用いて鍋蓋２を装着後、溶鋼鍋１を搬出するときの主巻フックの移動経路を示す。図示するように鍋蓋２を装着後、主巻フック６を降下させると、レバー３が実線位置まで倒れ、つづいて更に主巻フック６を降下させると、補助フック９がレバー先の鍋蓋トラニオン４より離脱する。
【００１９】
主巻フック６を更に図示する移動経路１１を辿って降下させると、主巻フック６で溶鋼鍋１のトラニオン５が捕捉される。捕捉後は溶鋼鍋１を吊り上げて搬出する。
【００２０】
溶鋼鍋１を受鋼位置まで運んで鍋蓋２を取り外すときには、主巻フック６が上記移動経路１１を上記と逆に辿って補助フック９で鍋蓋トラニオン４を捕捉し、レバー３を起して鍋蓋２を持ち上げる。
【００２１】
図中、１３はスラグ排滓のため溶鋼鍋１を傾動させる際、補巻フック（図示しない）を係止させるレードルフックである。
【００２２】
【発明の効果】
請求項１に係わる発明によると、主巻フックが溶鋼鍋のトラニオンを係脱するときには、鍋蓋トラニオンは主巻フックの移動経路外に退避されるため邪魔となることがなく、鍋蓋トラニオンも主巻フックの背面側に突設した補助フックで捕捉できるため、主巻フックの操作のみで溶鋼鍋を吊り上げたり、鍋蓋を着脱することができ、従来法のように鍋蓋を着脱するときには補巻フックを、溶鋼鍋を吊り上げるときには主巻フックを用い、両フックを使い分けていたのと比べ、フックの切換えに要する時間が不要で、しかも主巻フックを鍋蓋トラニオンから溶鋼鍋のトラニオンへ、或いはその逆に溶鋼鍋のトラニオンから鍋蓋のトラニオンに係合させる際の主巻フックの移動経路を簡単にし、かつ短縮できるため、溶鋼鍋を受鋼位置まで運んで鍋蓋を着脱し、搬出するまでの作業が容易となり、作業時間を短縮することができること、スラグ排滓のため、主巻フックで溶鋼鍋を吊り上げて溶鋼鍋を傾倒させる際、鍋蓋トラニオンが主巻フックに当たることがなく、溶鋼鍋を傾倒させてスラグを排出するのに支障を生じないこと等の効果を有する。
【図面の簡単な説明】
【図１】鍋蓋を取付けた溶鋼鍋の正面図。
【図２】鍋蓋着脱時の主巻フックの移動経路を示す図。
【図３】本発明方法で使用する主巻フックの側面図。
【図４】図２に示す主巻フックによる移動経路を示す図。
【符号の説明】
１・・溶鋼鍋
２・・鍋蓋
３・・レバー
４・・鍋蓋のトラニオン
５・・溶鋼鍋のトラニオン
６・・主巻フック
７・・ストッパー
８・・フック先端部の軌跡
９・・補助フック
１１・・移動経路
１３・・レードルフック

【図１】
0004421095.tif 000002
【図２】
0004421095.tif 000003
【図３】
0004421095.tif 000004
【図４】
0004421095.tif 000005